(57)【要約】【課題】蓋材２０を中央付近まで剥がして外側に折曲げて、容器３０を途中まで開蓋した状態で熱湯を注ぐ時に、外側に折曲げた蓋材２０が元の平坦な形状に戻る恐れがない、容器３０が閉蓋して熱湯が注ぎ難いなどの問題がないアルミレス蓋材を提供する。【解決手段】本発明は、蓋材２０の開蓋つまみ２４に相対する周端辺に、半円状などの開口つまみ２１を設けて、この開口つまみ２１の近傍に、円形状などの開口部２２を形成するための、樹脂フィルム層３とイージーピール層４とを切断して紙材料層２に達する開口切れ目線ａを設けて、また蓋材２０の中央付近に、開口開蓋方向に直交する直線状の、紙材料層２のみを切断するミシン目線ｂを設けて、この開口切れ目線ａとミシン目線ｂとで区画する領域の、蓋材２０の紙材料層２と樹脂フィルム層３との間に、剥離剤層５を積層したアルミレス蓋材である。【選択図】図１
2005225495.tif 000002
【特許請求の範囲】
【請求項１】
少なくとも紙材料層２と樹脂フィルム層３とイージーピール層４とを積層して成る、開蓋つまみ２４を有する円形状又は角を丸めた長方形状のアルミレス蓋材２０において、蓋材２０の開蓋つまみ２４に相対する周端辺に、半円状などの開口つまみ２１を設けて、この開口つまみ２１の近傍に、円形状などの開口部２２を形成するための、樹脂フィルム層３とイージーピール層４とを切断して紙材料層２に達する開口切れ目線ａを設けて、また蓋材２０の中央付近に、開口開蓋方向に直交する直線状の、紙材料層２のみを切断するミシン目線ｂを設けて、この開口切れ目線ａとミシン目線ｂとで区画する領域の、蓋材２０の紙材料層２と樹脂フィルム層３との間に、剥離剤層５を積層したことを特徴とするアルミレス蓋材。
【発明の詳細な説明】
【技術分野】
【０００１】
本発明は、熱湯を注いで調理するカップラーメンやトレー焼きそばなどを収容する、発泡スチロール製などのカップ状又はトレー状の容器３０に被せて、周辺部２３を熱融着する円形状又は角を丸めた長方形状のアルミレス蓋材２０であって、蓋材２０を中央付近まで剥がして熱湯を注ぐ時に、容器３０が閉蓋して熱湯が注ぎ難いなどの問題がないアルミレス蓋材に関する。
【背景技術】
【０００２】
従来から、熱湯を注いで調理するカップラーメンやトレー焼きそばなどを収容する、発泡スチロール製などのカップ状又はトレー状の容器３０に被せて、周辺部２３を熱融着する円形状又は角を丸めた長方形状の、例えば図２Ａ ,Ｂに示すような、適宜の紙材料層２と適宜の樹脂フィルム層３と７〜９μｍ程度のアルミニウム箔６と適宜のイージーピール層４とを、適宜の接着剤層７又は適宜の接着性樹脂層７を介するなどして積層して成る蓋材２０が、一般に広く用いられているものであって、蓋材２０を中央付近まで剥がして外側に折曲げて、容器３０を途中まで開蓋した状態で熱湯を注ぐ時に、この７〜９μｍ程度のアルミニウム箔６に、与えられた形状をそのまま保持する性質( デットホールド性と言う )があるために、蓋材２０の紙材料層２と樹脂フィルム層３とイージーピール層４との、元の形状に戻ろうとする性質( 形状記憶性と言う )を抑えて、外側に折曲げた蓋材２０が元の平坦な形状に戻る恐れがないために、容器３０が閉蓋して熱湯が注ぎ難いなどの問題はなかった。
【０００３】
また従来から、熱湯を注いで調理するカップラーメンやトレー焼きそばなどを収容する、発泡スチロール製などのカップ状又はトレー状の容器３０に被せて、周辺部２３を熱融着する円形状又は角を丸めた長方形状の、廃棄時の処理処分や食品類の金属探知などが難しいとの理由で、またそのまま電子レンジで調理することができないとの理由で、前述した７〜９μｍ程度のアルミニウム箔６を積層していないアルミレス蓋材２０が、強く望まれて用いられている。
【０００４】
すなわち、例えば図２Ａ ,Ｃに示すような、上質紙や片面アート紙などの、表面に美麗な印刷をした紙材料層２と、ポリエステルや延伸ナイロンやセラミック蒸着付のポリエステル ,延伸ポリプロピレンなどの、強度や各種バリアー性などが優れた樹脂フィルム層３と、エチレンーメタアクリル酸共重合体(EMAA)やエチレンー酢酸ビニル共重合体(EVA )やポリエチレンとポリブテンとのブレンド樹脂などの、密封性などが優れている上に、熱融着した後に剥がすことができるイージーピール層４とを、ウレタン系などの接着剤層７又は低密度ポリエチレンなどの接着性樹脂層７を介して積層して成る、開蓋つまみ２４を有する円形状又は角を丸めた長方形状のアルミレス蓋材２０である。
【発明の開示】
【発明が解決しようとする課題】
【０００５】
ところが従来の、図２Ａ ,Ｃに示すアルミレス蓋材２０については、円形状又は角を丸めた長方形状のアルミレス蓋材２０の開蓋つまみ２４に指を掛けて、やゝ強く引張るだけで、簡単にカップ状又はトレー状の容器３０を開蓋することができる、廃棄時の処理処分や食品類の金属探知などが容易なアルミレス蓋材２０であるものの、またそのまま電子レンジで調理することができるアルミレス蓋材２０であるものの、蓋材２０を中央付近まで剥がして外側に折曲げて、容器３０を途中まで開蓋した状態で熱湯を注ぐ時に、蓋材２０の紙材料層２が、熱湯から発生する蒸気の影響を受けて元の形状に戻ろうとするために、また蓋材２０の樹脂フィルム層３とイージーピール層４とに、元の形状に戻ろうとする性
質( 形状記憶性 )があるために、外側に折曲げた蓋材２０が元の平坦な形状に戻ることが多くて、容器３０が閉蓋して熱湯が注ぎ難いなどの問題があった。
【０００６】
この問題を解決するために、前述した図２Ａ ,Ｃに示すアルミレス蓋材２０において、例えば図３に示すような、蓋材２０の開蓋つまみ２４から中央付近にかけて、開蓋方向に直交する直線状の、紙材料層２のみを切断する又は紙材料層２と樹脂フィルム層３とイージーピール層４とを切断する、約５ｍｍ間隔の多数のミシン目線ｃ ,ｃ ,ｃ ,…を設けたアルミレス蓋材２０が用いられているものの、蓋材２０を中央付近まで剥がして外側に折曲げて、容器３０を途中まで開蓋した状態で熱湯を注ぐ時に、蓋材２０のミシン目線ｃ ,ｃ ,ｃ ,…を設けた紙材料層２に、谷状の折癖を付けることによって、熱湯から発生する蒸気の影響を受けて元の形状に戻ろうとするのを防ぐことができても、蓋材２０のミシン目線ｃ ,ｃ ,ｃ ,…を設けていない又は設けた樹脂フィルム層３とイージーピール層４とに、谷状の折癖を付けることが、構成材料の性質上難しいために、元の形状に戻ろうとする性質( 形状記憶性 )を抑えることができなくて、外側に折曲げた蓋材２０が元の平坦な形状に戻る恐れがあった。
【０００７】
そこで、本発明の目的は、熱湯を注いで調理するカップラーメンやトレー焼きそばなどを収容する、発泡スチロール製などのカップ状又はトレー状の容器３０に被せて、周辺部２３を熱融着する円形状又は角を丸めた長方形状のアルミレス蓋材２０であって、蓋材２０を中央付近まで剥がして外側に折曲げて、容器３０を途中まで開蓋した状態で熱湯を注ぐ時に、外側に折曲げた蓋材２０が元の平坦な形状に戻る恐れがない、容器３０が閉蓋して熱湯が注ぎ難いなどの問題がないアルミレス蓋材を提供することにある。
【課題を解決するための手段】
【０００８】
本発明のアルミレス蓋材は、図１Ａ ,Ｂに示すように、少なくとも紙材料層２と樹脂フィルム層３とイージーピール層４とを積層して成る、開蓋つまみ２４を有する円形状又は角を丸めた長方形状( 図１Ａでは円形状 )のアルミレス蓋材２０において、蓋材２０の開蓋つまみ２４に相対する周端辺に、半円状などの開口つまみ２１を設けて、この開口つまみ２１の近傍に、円形状などの開口部２２を形成するための、樹脂フィルム層３とイージーピール層４とを切断して紙材料層２に達する開口切れ目線ａを設けて、また蓋材２０の中央付近に、開口開蓋方向( 図１Ａ ,Ｂでは左右方向、以下同じ )に直交する直線状の、紙材料層２のみを切断するミシン目線ｂを設けて、この開口切れ目線ａとミシン目線ｂとで区画する( 図１Ａに斜線で示す )領域の、蓋材２０の紙材料層２と樹脂フィルム層３との間に、剥離剤層５を積層したことを特徴とするアルミレス蓋材である。
【０００９】
本発明のアルミレス蓋材においては、少なくとも紙材料層２と樹脂フィルム層３とイージーピール層４とを積層して成る、前述した図２Ａ ,Ｃに示すアルミレス蓋材２０と同様の、熱湯を注いで調理するカップラーメンやトレー焼きそばなどを収容する、発泡スチロール製などのカップ状又はトレー状の容器３０に被せて、図１Ｃに示すように周辺部２３を熱融着する、開蓋つまみ２４を有する円形状又は角を丸めた長方形状のアルミレス蓋材２０において、蓋材２０の開蓋つまみ２４に相対する周端辺に、半円状などの開口つまみ２１を設けて、この開口つまみ２１の近傍に、円形状などの開口部２２を形成するための、樹脂フィルム層３とイージーピール層４とを切断して紙材料層２に達する開口切れ目線ａを設けて、また蓋材２０の中央付近に、開口開蓋方向に直交する直線状の、紙材料層２のみを切断するミシン目線ｂを設けて、この開口切れ目線ａとミシン目線ｂとで区画する領域の、蓋材２０の紙材料層２と樹脂フィルム層３との間に、剥離剤層５を積層したことによって、
図１Ｄに示すように、蓋材２０の開口つまみ２１に指を掛けて引張って、蓋材２０を中央付近まで剥がして外側に折曲げるだけで、開口つまみ２１の近傍の、樹脂フィルム層３とイージーピール層４とを切断して紙材料層２に達する開口切れ目線ａが切断して、簡単
に円形状などの開口部２２を形成することができる、また開口切れ目線ａとミシン目線ｂとで区画する領域の、紙材料層２と樹脂フィルム層３との間の剥離剤層５が剥離して、紙材料層２のみを切断するミシン目線ｂに、簡単に強い谷状の折癖を付けることができる。
【００１０】
すなわち、本発明のアルミレス蓋材においては、蓋材２０を中央付近まで剥がして外側に折曲げて、図１Ｄに示す容器３０を途中まで開口した状態で熱湯を注ぐ時に、紙材料層２のみを切断するミシン目線ｂに、強い谷状の折癖を付けることによって、蓋材２０の紙材料層２が、熱湯から発生する蒸気の影響を受けて元の形状に戻ろうとするのを防ぐことができるために、また元の形状に戻ろうとする性質( 形状記憶性 )がある樹脂フィルム層３とイージーピール層４とを、蓋材２０の紙材料層２から剥離して、外側に折曲げずに残しているために、外側に折曲げた蓋材２０が元の平坦な形状に戻る恐れがない、容器３０が閉蓋して熱湯が注ぎ難いなどの問題がないアルミレス蓋材を提供することができる。
【００１１】
加えて、本発明のアルミレス蓋材においては、蓋材２０の開口つまみ２１の近傍に、収容したカップラーメンやトレー焼きそばなどの、小袋入りの薬味やソースなどが取出し易い比較的大きな円形状など( 図１Ａでは４３ｍｍφの円形状 )の開口部２２を形成したにもかかわらず、樹脂フィルム層３とイージーピール層４とを切断して紙材料層２に達する開口切れ目線ａが切断して、また紙材料層２と樹脂フィルム層３との間の剥離剤層５が剥離して、この比較的大きな円形状などの開口部２２の周辺に、円形状又は角を丸めた長方形状のアルミレス蓋材２０の、周辺部２３を熱融着した樹脂フィルム層３とイージーピール層４とを残しているために、カップ状又はトレー状の容器３０の保形性を損なう恐れがない、安全に熱湯を注ぐことができるアルミレス蓋材を提供することができる。
【発明の効果】
【００１２】
以上、実施の形態ほかに示すとおり、本発明のアルミレス蓋材においては、熱湯を注いで調理するカップラーメンやトレー焼きそばなどを収容する、発泡スチロール製などのカップ状又はトレー状の容器３０に被せて、周辺部２３を熱融着する円形状又は角を丸めた長方形状のアルミレス蓋材２０であって、蓋材２０を中央付近まで剥がして外側に折曲げて、容器３０を途中まで開口した状態で熱湯を注ぐ時に、紙材料層２のみを切断するミシン目線ｂに、強い谷状の折癖を付けることによって、外側に折曲げた蓋材２０が元の平坦な形状に戻る恐れがない、容器３０が閉蓋して熱湯が注ぎ難いなどの問題がないアルミレス蓋材を提供することができる。
【発明を実施するための最良の形態】
【００１３】
図１Ａ ,Ｂは、本発明の実施の形態における、アルミレス蓋材２０の平面図 ,断面説明図であって、図１Ｃ ,Ｄは、アルミレス蓋材２０を、容器３０に熱融着した状態と中央付近まで剥がした状態とを示す断面図である。
【００１４】
まず紙材料層２の、それぞれ後述する開口切れ目線ａとミシン目線ｂとで区画する、図１Ａに斜線で示す領域の内面側に、ＷＡＸ系( 東洋インキ株式会社製 )の０．６ｇ／ｍ2 程度の剥離剤層５を、樹脂グラビア印刷方法でパターン状に積層して、また紙材料層２の、蓋材２０の中央付近に相当する位置に、開口開蓋方向に直交する直線状の、図１Ａでは前後方向の紙材料層２のみを切断するミシン目線ｂを、金属打抜刃を用いた方法で設けた、表面に美麗な印刷をした片面アート紙７９ｇ／ｍ2 の紙材料層２を用意した。
【００１５】
次に、この剥離剤層５を積層してミシン目線ｂを設けた紙材料層２と、セラミック蒸着付のポリエステル１２μｍの、強度や各種バリアー性などが優れた樹脂フィルム層３と、エチレンーメタアクリル酸共重合体(EMAA)３０μｍの、密封性などが優れている上に、熱融着した後に剥がすことができるイージーピール層４とを、図１Ｂに示すように、５ｇ／ｍ2 のウレタン系の接着剤層７と低密度ポリエチレン１５μｍの接着性樹脂層７とを介し
て、通常のドライラミネート方法と通常の熱押出しラミネート方法とで積層した後に、
通常の金属打抜型を用いた打抜工程で、蓋材２０の、図１Ａでは開口開蓋方向の相対する左右の周端辺に、それぞれ半円状の開口つまみ２１と開蓋つまみ２４とを設けて、この開口つまみ２１の近傍に、４３ｍｍφの円形状の開口部２２を形成するための、樹脂フィルム層３とイージーピール層４とを切断して紙材料層２に達する開口切れ目線ａを設けて、同時に蓋材２０の周端辺を切断して除去して、図１Ａに示す開口つまみ２１と開蓋つまみ２４とを有する１００ｍｍφの円形状のアルミレス蓋材２０を作製した。
【００１６】
続いて、図１Ａに示す１００ｍｍφの円形状のアルミレス蓋材２０を、図１Ｃに示すように、熱湯を注いで調理するカップラーメンを収容した、発泡スチロール製の外径が１００ｍｍφのカップ状の容器３０に被せて、この容器３０のフランジ部３３に蓋材２０の周辺部２３を熱融着したところ、前述した図２Ａ ,Ｃに示すアルミレス蓋材２０と同様に、後述するように熱湯を注いで、３分間程度放置して調理した後などに、蓋材２０の開蓋つまみ２４に指を掛けて、やゝ強く引張るだけで、簡単に容器３０を開蓋することができる、廃棄時の処理処分や食品類の金属探知などが容易であって、またそのまま電子レンジで調理することもできるアルミレス蓋材が得られた。
【００１７】
本実施の形態のアルミレス蓋材においては、図１Ｄに示すように、蓋材２０の開口つまみ２１に指を掛けて引張って、蓋材２０を中央付近まで剥がして外側に折曲げるだけで、開口つまみ２１の近傍の、樹脂フィルム層３とイージーピール層４とを切断して紙材料層２に達する開口切れ目線ａが切断して、簡単に４３ｍｍφの円形状の開口部２２を形成することができるものであって、また開口切れ目線ａとミシン目線ｂとで区画する領域の、紙材料層２の内面側の樹脂フィルム層３との間の剥離剤層５が剥離して、紙材料層２のみを切断するミシン目線ｂに、簡単に強い谷状の折癖を付けることができるものであって、
蓋材２０を中央付近まで剥がして外側に折曲げて、図１Ｄに示す容器３０を途中まで開口した状態で熱湯を注ぐ時に、紙材料層２のみを切断するミシン目線ｂに、強い谷状の折癖を付けることによって、蓋材２０の片面アート紙７９ｇ／ｍ2 の紙材料層２が、熱湯から発生する蒸気の影響を受けて元の形状に戻ろうとするのを防ぐことができるために、また元の形状に戻ろうとする性質( 形状記憶性 )があるセラミック蒸着付のポリエステル１２μｍの樹脂フィルム層３とエチレンーメタアクリル酸共重合体(EMAA)３０μｍのイージーピール層４とを、蓋材２０の紙材料層２から剥離して、外側に折曲げずに残しているために、外側に折曲げた蓋材２０が元の平坦な形状に戻る恐れがない、容器３０が閉蓋して熱湯が注ぎ難いなどの問題がないアルミレス蓋材を得ることができた。
【図面の簡単な説明】
【００１８】
【図１】本発明の実施の形態における、図１Ａ ,Ｂは、アルミレス蓋材２０の平面図 ,断面説明図であって、図１Ｃ ,Ｄは、アルミレス蓋材２０を、容器３０に熱融着した状態と中央付近まで剥がした状態とを示す断面図である。
【図２】図２Ａ ,Ｂは、従来の蓋材２０の平面図 ,断面説明図であって、図２Ａ ,Ｃは、従来のアルミレス蓋材２０の平面図 ,断面説明図である。
【図３】従来の他のアルミレス蓋材２０の平面図である。
【符号の説明】
【００１９】
２      …紙材料層
３      …樹脂フィルム層
４      …イージーピール層
５      …剥離剤層
６      …アルミニウム箔
７      …接着剤層 ,接着性樹脂層
２０    …蓋材
２１    …開口つまみ
２２    …開口部
２３    …周辺部
２４    …開蓋つまみ
３０    …容器
３３    …フランジ部
ａ      …開口切れ目線
ｂ ,ｃ  …ミシン目線
【図１】
2005225495.tif 000003
【図２】
2005225495.tif 000004
【図３】
2005225495.tif 000005